(57)【要約】【課題】  組み立て時に揺動構造を有する印判においても捺印時のインク貯蔵体の圧縮量を均一化する。【解決手段】  保持部材１２０の支持ケース２０１と対向する側に、円筒状のリブ１１６と弓形形状のリブ１１７とが、ガイド部材１２３を挟むように設けられている。リブ１１６とリブ１１７とは、固定印字部１００が本体ケース２から離れている状態では、支持ケース２０１に当接しない。保持部材１２０の螺旋溝１２１と本体ケース２の内側部にあるボス２ｃ（図３参照）とは係合しているので、固定印字部１００は、ボス２ｃと螺旋溝１２１の一対の係合部を結ぶ軸線を揺動中心として、露出孔１１４と交差する方向に揺動可能である。固定印字部１００を本体ケース２内に装着すると、リブ１１６とリブ１１７とが支持ケース２０１の端部に当接する。このため、揺動がリブ１１６とリブ１１７により規制され、がたつかない。【選択図】  図７
2006088601.tif 000002
【特許請求の範囲】
【請求項１】
本体ケースと、
当該本体ケース内に回動可能に支持され、印影を形成するための複数の印字面を有する第一印字体と、
当該第一印字体のいずれかの印字面が挿入されて露出する露出孔を有し、その露出孔から露出された前記印字面とともに印影を形成する第二印字体と、
前記本体ケースの一端側の内側部に進退可能に支持され、前記第二印字体を保持する保持部材と、
前記保持部材の外周部と前記本体ケースの一端側の内側部との間に設けられ、かつ、前記保持部材の前記本体ケースからの突出時には、前記保持部材を前記露出孔に対する前記印字面の挿入方向と交差する方向の一軸線の周りに揺動可能に支持する揺動支持手段と、
前記本体ケースの前記保持部材と対向する端部又は前記保持部材の前記本体ケースと対向する端部の少なくとも一方に設けられ、前記保持部材の前記本体ケース内への収納時に、前記保持部材の揺動を規制する規制部材とを備えたことを特徴とする印判。
【請求項２】
前記規制部材は、前記保持部材の前記本体ケースと対向する端部に設けられた複数のリブであることを特徴とする請求項１に記載の印判。
【発明の詳細な説明】
【技術分野】
【０００１】
本発明は、２つの印字面を組み合わせて１つの印影を形成することが可能な印判に関するものである。
【背景技術】
【０００２】
一般に、印字面に多孔質材料を用い、その印字面にインクを含浸させておき、押印の都度インクを付着させなくても数回連続して押印できるようにした印判が知られている。このような印判では、印字面の背面にインクを含浸したインク貯蔵体を設けて印字面の裏側からインクを供給するようにされていることが多い。このような構成では、捺印時に被捺印媒体に対して圧力をかけると、インク貯蔵体が押圧方向に圧縮変形され、その変形により、インク貯蔵体内部に含浸されたインクが外部に絞り出され、印字面の裏側から印字面にインクが浸透し、被捺印媒体に印像が転写されるようになっている。
【０００３】
ところで、捺印時の押圧は、操作者の持ち方によりまっすぐに押されるとは限らない。傾斜姿勢で押圧された場合、インク貯蔵体の圧縮量にばらつきが生じる。このため、圧縮量が多い部位に接触する印字面からはインクのにじみ出し量が増加して印像に滲みが発生することがある。一方、圧縮量が少ない部位に接触する印字面からは、インクのにじみ出し量が減少してかすれが生じることがある。このような問題に対応するため、例えば特許文献１では、スタンプ基材に対してインク含浸体を押圧方向に相対揺動自在に形成している。このようにすることで、傾斜姿勢で印判が押圧操作された場合にも、被印刷面に対して先行して当接する印面部分の押圧反力で、インク含浸体が被印刷面に沿う姿勢に変更される。このため、スタンプ基材の姿勢を変更することなく印面の面方向で印圧の均一化を図っている。
【特許文献１】特開平１１−５８９１０
【発明の開示】
【発明が解決しようとする課題】
【０００４】
一方、日付印のように変更可能な印字面と固定印字面の２つの印字面を組み合わせて印影を形成する印判では、変更可能な印字面を固定印字面に挿入し、位置決めを的確に行なうために、揺動構造を採用していることがある。このような位置決めのための揺動構造は、組み立ての際には非常に有効であるが、これが捺印時にも維持されていると、捺印の際にも揺動が起こり、傾斜によりインク貯蔵体の圧縮量に影響することがある。
【０００５】
本発明は上記問題を解決するためになされたものであり、組み立て時に揺動構造を有する印判においても捺印時のインク貯蔵体の圧縮量を均一化することを目的とする。
【課題を解決するための手段】
【０００６】
上記目的を達成するために、本発明の請求項１に記載の印判は、本体ケースと、当該本体ケース内に回動可能に支持され、印影を形成するための複数の印字面を有する第一印字体と、当該第一印字体のいずれかの印字面が挿入されて露出する露出孔を有し、その露出孔から露出された前記印字面とともに印影を形成する第二印字体と、前記本体ケースの一端側の内側部に進退可能に支持され、前記第二印字体を保持する保持部材と、前記保持部材の外周部と前記本体ケースの一端側の内側部との間に設けられ、かつ、前記保持部材の前記本体ケースからの突出時には、前記保持部材を前記露出孔に対する前記印字面の挿入方向と交差する方向の一軸線の周りに揺動可能に支持する揺動支持手段と、前記本体ケースの前記保持部材と対向する端部又は前記保持部材の前記本体ケースと対向する端部の少なくとも一方に設けられ、前記保持部材の前記本体ケース内への収納時に、前記保持部材の揺動を規制する規制部材とを備えたことを特徴とする。
【０００７】
また、本発明の請求項２に記載の印判は、請求項１に記載の発明の構成に加え、前記規制部材が、前記保持部材の前記本体ケースと対向する端部に設けられた複数のリブであることを特徴とする。
【発明の効果】
【０００８】
本発明の請求項１に記載の印判は、第一印字体の印字面変更時には、保持部材が本体ケースから突出するため、第一印字体が露出孔から引抜かれて、印字面の変更が可能になる。所望の印字面を選択後、保持部材を後退させて本体ケース内に収納する。この間、保持部材が本体ケースから突出している間は、露出孔に第一印字体の印字面がうまく挿入されるように、ガタにより軸線を中心として揺動可能になっている。ところが、この揺動構造が押印時にも維持されていると、捺印のために本体ケースを押圧した場合に、揺動の軸線に沿って本体ケースが印面に対して斜めに傾いて印面の裏にあるインク貯蔵体が強く圧縮され、露出孔からインクが漏れる虞がある。これを防ぐために、保持部材が本体ケースに装着されたときに揺動を規制する規制部材を設けることで、押印時には揺動が起こらず、傾きによるインク漏れを防ぐことができる。
【０００９】
本発明の請求項２に記載の印判は、請求項１に記載の発明の効果に加え、リブによる簡単な構造で捺印時の揺動を防止できる。
【発明を実施するための最良の形態】
【００１０】
次に、本発明を実施するための最良の形態について、一例としての日付印１を用いて図面を参照しながら説明する。図１は、捺印可能な状態の日付印１の斜視図である。図２は、印字面２１１の変更が可能な状態の日付印１の斜視図である。図３は、日付印１の分解斜視図である。図４は、移動印字部材２１０を保持した保持体２３０の斜視図である。図５は、図１に示す一点鎖線において矢視方向Ａから見た、日付印１の断面図である。図６は、図１に示す一点鎖線において矢視方向Ｂから見た、操作部２０５を除いた状態の日付印１の断面図である。図７は、保持部材１２０の平面図である。図８は、印字面２１１の変更が行える状態の支持ケース２０１と保持部材１２０の係合状態を示す平面図である。図９は、捺印可能な状態の支持ケース２０１と保持部材１２０の係合状態を示す平面図である。
【００１１】
図１に示すように、日付印１は略円筒状の本体ケース２を有しており、本体ケース２は、両側の端部として筒端部２ａ及び筒端部２ｄを有し、筒端部２ａの口径は、胴回りよりやや大きく構成されている。本体ケース２の外周面には、開口部２ｂが形成され、開口部２ｂは、筒端部２ｄに設けられた操作部２０５の操作により開口・閉鎖される。
【００１２】
筒端部２ａの端部には、紙等の被捺印媒体に印影を形成するための印字面が保持されている。略円形状に形成されたこの印字面は、本体ケース２の軸方向に対して直交する面となっており、印影が不変の印字面１１１と、数字や記号などを組み合わせて任意の日付等の印影を形成可能な印字面２１１との合成により、一つの印影を形成できるように構成されている。また、筒端部２ａ側には、日付印１の非使用時に、印字面１１１，２１１を覆って保護するためのキャップ１０が、本体ケース２に対して着脱可能に設けられている。
【００１３】
次に、図１に示す状態の日付印１を、本体ケース２を保持しながら操作部２０５を本体ケース２に対して周方向に略１８０度回転させると、図２に示すように、本体ケース２の内部に収容された移動印字部２００（図３参照）が回転し、開口部２ｂが開口して、印字面２１１の変更が可能な状態となる。印字面の変更方法については後述する。
【００１４】
次に、図３に示すように、本体ケース２の内部には、印字面２１１を保持する移動印字部２００と、印字面１１１を保持する固定印字部１００とが収容されている。また、本体ケース２の筒端部２ａの内側部には、一対のボス２ｃが互いに向き合うように形成されている。
【００１５】
固定印字部１００は、本体ケース２の筒端部２ａの内周に嵌合する保持部材１２０に、印字面１１１を有する固定印字部材１１２（図５参照）とその固定印字部材１１２に接触してインクを供給するインク貯蔵体１１３（図５参照）とが保持されて構成されている。保持部材１２０の外周には、螺旋状の螺旋溝１２１が２本設けられている。この螺旋溝１２１には、筒端部２ａの内側部にあるボス２ｃが係合されるようになっている。
【００１６】
螺旋溝１２１の末端１２１ａには、螺旋溝１２１の底面を隆起させたストッパ１２１ｂが設けられ、末端１２１ａに位置させたボス２ｃの螺旋溝１２１に沿った方向への移動が規制される。また、螺旋溝１２１の始端にも同様のストッパ１２１ｃが設けられており、始端に位置させたボス２ｃの移動が規制される。保持部材１２０は、筒端部２ａの内周よりもわずかに径が小さく形成されている。そして、螺旋溝１２１の末端にボス２ｃが係合されたとき、これら螺旋溝１２１とボス２ｃの一対の係合部を結んだ線を軸線Ｘとして（図６参照）、移動印字部材２１０が挿入される露出孔１１４（後述）と交差する方向に揺動可能になっている。尚、ボス２ｃと螺旋溝１２１とにより本発明の揺動支持手段が構成される。
【００１７】
保持部材１２０の内部からは、印字面１１１とは反対の方向に２つの一対のガイド部材１２３がそれぞれ突設されている。また、固定印字部材１１２及びインク貯蔵体１１３（図５参照）を保持する保持部材１２０のその保持部分の側面には、一対の突起部１２２が設けられている。この突起部１２２は、キャップ１０の内側に設けられた係合部（図示外）に係合されるようになっている。さらに、固定印字部１００の印字面１１１の略中央には、印字面１１１の面と直交する方向に固定印字部１００を貫通する略長方形の露出孔１１４が設けられている。露出孔１１４は、移動印字部材２１０の印字面２１１を、本体ケース２から露出させるための孔である。
【００１８】
次に、移動印字部２００は、円筒状の支持ケース２０１内に、印字面２１１を有する５つの移動印字部材２１０が略長板状の保持体２３０（図４参照）に保持されて構成されている。支持ケース２０１は、収容される本体ケース２の内周にあわせて円筒状に形成されている。支持ケース２０１の印字面側の端部には、その外周を取り巻くツバ２０３が、外周面と直交する方向に突設され、支持ケース２０１を収容する本体ケース２の軸方向に対して直交する方向と平行な平面が形成されている。ツバ２０３の外周は、胴周りより口径の大きな本体ケース２の筒端部２ａの内周とほぼ同じ大きさとなっている。また、支持ケース２０１を本体ケース２へ収容する際にボス２ｃに干渉しないように、ツバ２０３には２ヶ所に切欠部２０４が設けられている。また、保持体２３０の両側部には、固定印字部１００の一対のガイド部材１２３の間に挟み込まれる２つのガイド片２３２がそれぞれ形成されている。
【００１９】
支持ケース２０１の一側面には、軸方向に沿って４本の長細い溝状のガイド溝２０２が開口されている。これらのガイド溝２０２は、支持ケース２０１を本体ケース２に収容し、印字面２１１の変更が行える状態では、開口部２ｂより露出される（図２参照）。
【００２０】
次に、移動印字部材２１０の構造を図４及び図５を参照して説明する。図４に示すように、移動印字部材２１０は、ベルト体２２０の外周面に設けられている。ベルト体２２０は、保持体２３０の長手方向に沿って、５本が並列して設けられており、それぞれが個別に回転可能になっている。各ベルト体２２０上に設けられた各移動印字部材２１０は、ベルト体２２０の回転とともにその位置が移動されるように固定されている。移動印字部材２１０は、突設状の複数の印字部２１２と、印字部２１２の間を連結する連結部２１３とから構成されている。そして、印字部２１２は、その先端に印字面２１１を有している。この移動印字部材２１０の長さは、ベルト体２２０の半周以下となっている。この移動印字部材２１０を構成する、印字面２１１を有する印字部２１２と連結部２１３とは、例えば多孔性樹脂などのインク含浸体からなり、一体に形成される。なお、移動印字部材２１０が、本発明における第一印字体に相当する。
【００２１】
ベルト体２２０の外周面には、各ベルト体２２０を個々に回転させる際にスライド操作するスライド部２２１が突設されており、保持体２３０の長手方向に沿ってスライド部２２１をスライド移動させることでベルト体２２０を回転させることができる。さらに、ベルト体２２０の外周面で、移動印字部材２１０が固定された側と反対側の外周面には、各印字部２１２の印字面２１１にそれぞれ対応した印影の見本２２２が印刷されている。尚、保持体２３０を支持ケース２０１に収容すると、前述したガイド溝２０２（図３参照）からスライド部２２１が支持ケース２０１の外方に突出される。
【００２２】
また、図５に示すように、ベルト体２２０のスライド部２２１には、そのスライド方向と直交する方向に出退可能に付勢された凸部２２３が突設されている。また、保持体２３０の内部には、凸部２２３に係合してベルト体２２０の回転に負荷を与える凹部２３１が、ベルト体２２０の回転方向に沿って印字部２１２の数だけ設けられている。この構成は、凸部２２３が凹部２３１に係合された状態では、その凹部２３１に対応した印字部２１２が、保持体２３０の長手方向の一方の側面に位置されるように、ベルト体２２０の位置決めを行うためのものである。また、スライド部２２１が操作されていずれかの印字部２１２が保持体２３０の長手方向の一方の側面（図５における紙面下側）に位置されたとき、他方の側面（図５における紙面上側）には、その印字面２１１に対応した印影の見本２２２が位置されるようになっている。移動印字部２００の操作部２０５の底面には見本窓２ｅが開口されており、保持体２３０の長手方向の他方の側面に位置された見本２２２が、その見本窓２ｅを介して目視可能となっている。
【００２３】
次に、固定印字部１００の構造について図５〜図７を参照して詳細に説明する。図５及び図６に示すように、固定印字部１００は、印字面１１１を有する固定印字部材１１２の背面にインク貯蔵体１１３が保持部材１２０により保持されている。インク貯蔵体１１３は、例えば多孔性樹脂からなり、内部にインクを染み込ませることによってインクを貯蔵することができる。固定印字部材１１２もまた多孔性樹脂からなり、印字面１１１は、公知のように、固定印字部材１１２の印影となる部分をマスクした状態で圧縮しつつ露光し、露光された部分が溶解して孔を塞ぐことによって形成される。固定印字部材１１２は、インク貯蔵体１１３からインクの供給を受ける。また、図５及び図７に示すように、固定印字部材１１２及びインク貯蔵体１１３を貫通する露出孔１１４の周囲には、移動印字部材２１０が挿入される側から印字面１１１に向かって傾斜面となり、移動印字部材２１０の挿入を容易にする孔縁部１１５が形成されている。孔縁部１１５は、移動印字部材２１０の挿入をサポートすることができればよく、傾斜面に限らず、弧面であってもよい。尚、固定印字部材１１２が、本発明の第二印字体に相当する。
【００２４】
さらに、図７に示すように、保持部材１２０の支持ケース２０１と対向する側（図８参照）の端部には、円筒状のリブ１１６と、保持部材の外周に沿って弓形形状に形成されたリブ１１７とが、ガイド部材１２３を挟むように設けられている。また、図９に示すように、リブ１１６とリブ１１７の高さは、固定印字部１００が本体ケース２内に装着されたときに、支持ケース２０１と当接し、露出孔１１４と直交する方向への揺動が起こらない程度の高さであり、本実施形態では、約１ｍｍである。形状は、図７に示すものに限らず、露出孔１１４と直交する方向の揺動を規制でき、保持部材の外周上に設けられるものであればよく、全てが円筒状であっても、長い弓形形状や短い弓形形状であっても、さらに、全周をリブに形成してもよい。また、リブ１１６，１１７の数は、本実施形態では合計４個であるが、３個であってもよいし、長めの弓形状のリブであれば、２本であってもよい。さらに、これらのリブは、保持部材１２０の支持ケース２０１との対向面でなく、支持ケース２０１側の保持部材１２０との対向面に設けるようにしてもよい。これらのリブ１１６，１１７が本発明の規制部材に相当する。
【００２５】
次に、図８及び図９を参照して固定印字部１００の揺動機構と揺動規制機構とを説明する。これらのリブ１１６とリブ１１７とは、図８に示すように、固定印字部１００が本体ケース２から離れている状態（移動印字部材２１２の印字面２１１の変更が可能な状態）では、支持ケース２０１に当接しない。一方、保持部材１２０の螺旋溝１２１と本体ケース２の内側部にあるボス２ｃ（図３参照）とは係合している。従って、固定印字部１００は、ボス２ｃと螺旋溝１２１の一対の係合部を結ぶ軸線Ｘを揺動中心として（図６参照）、露出孔１１４と交差する方向（図８における左右方向）に揺動可能である。固定印字部１００を本体ケース２内に装着すると、図９に示すように、リブ１１６とリブ１１７とが支持ケース２０１の端部に当接する。このため、図９における左右方向への揺動がリブ１１６とリブ１１７により規制され、がたつかない。
【００２６】
このような構成の日付印１を組み立てる際には、図３に示すように、まず、分離可能な操作部２０５を分離した支持ケース２０１を本体ケース２の筒端部２ａ側より本体ケース２に挿入し、筒端部２ｄ側から操作部２０５を支持ケース２０１に係合させて固定させる。そして、筒端部２ａ側より固定印字部１００の一対のガイド部材１２３の間に保持体２３０の２つのガイド片２３２をそれぞれ挟み込ませつつ、本体ケース２のボス２ｃを固定印字部１００の螺旋溝１２１の始端に係合させ、固定印字部１００の取り付けを行う。
【００２７】
ボス２ｃが螺旋溝１２１の始端に係合された状態では、固定印字部１００は本体ケース２の筒端部２ａから露出している。そして、移動印字部材２１０の選択されている印字面２１１は、固定印字部１００の露出孔１１４から露出しない位置にある（図２参照）。ここでは、固定印字部１００は、支持ケース２０１と離れた状態にあり、リブ１１６及びリブ１１７は支持ケース２０１に当接していない（図８参照）。従って、この状態では、固定印字部１００は、ボス２ｃと螺旋溝１２１の一対の係合部を結ぶ軸線Ｘを揺動中心として（図６参照）、露出孔１１４と交差する方向（図８における左右方向）に揺動可能となっている。
【００２８】
次に、支持ケース２０１の操作部２０５を本体ケース２に対して回転させる。すると、ガイド片２３２がガイド部材１２３に挟まれているので、ボス２ｃがストッパ１２１ｃを乗り越えて螺旋溝１２１に沿ってスライドし、固定印字部１００も回転される。このため、固定印字部１００は本体ケース２に納められる方向に移動される。このようにボス２ｃが螺旋溝１２１の始端から末端１２１ａに向かって螺旋溝１２１をスライドしていくと、移動印字部材２１０は、孔縁部１１５に案内されつつ、露出孔１１４に挿入される。さらに、固定印字部１００は、ボス２ｃと螺旋溝１２１の一対の係合部を結ぶ軸線Ｘ（図６参照）を揺動中心として、露出孔１１４と交差する方向に揺動する。従って、揺動するうちに、固定印字部１００は、移動印字部材２１０にならうこととなり、印字面２１１が露出孔１１４の正規位置に位置決めされ、挿入が完了する（図１、図５参照）。また、ボス２ｃが螺旋溝１２１のストッパ１２１ｂを乗り越え末端の位置に達することで、本体ケース２に対して固定印字部１００が位置決めされる（図５参照）。さらに、保持部材１２０のリブ１１６及びリブ１１７が支持ケース２０１の端部に当接して安定するため、固定印字部１００の揺動が規制される（図９参照）。
【００２９】
この状態で被捺印媒体に対して押印を行なえば、操作者の日付印１に対する押圧により、インク貯蔵体１１３が圧縮され、インクが固定印字部材１１２及び露出孔１１４内の印字部２１２に浸みだし、印字面１１１及び２１１からインクが滲み出て印影が形成される。リブ１１６とリブ１１７により固定印字部１００の揺動は規制されているので、揺動によるインク貯蔵体１１３の偏った圧縮変形が起きることがなく、インク漏れのない安定した捺印を得ることができる。
【００３０】
印字面２１１の変更を行う場合は、本体ケース２を保持して操作部２０５を回転させる。すると、螺旋溝１２１の末端１２１ａに位置しているボス２ｃがストッパ１２１ｂを乗り越え、始端に向かって螺旋溝１２１に沿ってスライドされる。すると、固定印字部１００は本体ケース２から突出する。そして、固定印字部１００の露出孔１１４より移動印字部材２１０の選択されている印字面２１１が引き抜かれた状態となる（図２参照）。この状態でスライド部２２１を操作すれば、任意の印字面２１１の選択を行うことができる。
【００３１】
以上説明したように、本実施形態の日付印１は、保持部材１２０の支持ケース２０１との対向面の外周にリブ１１６及びリブ１１７を設けている。固定印字部１００が本体ケースから突出している状態では、リブ１１６及びリブ１１７は支持ケース２０１に当接しないためボス２ｃと螺旋溝１２１を軸線として揺動が可能である。一方、固定印字部１００を本体ケース２内に収容した捺印可能状態では、リブ１１６及びリブ１１７が支持ケース２０１に当接して揺動を規制する。従って、捺印時には、揺動によるインク貯蔵体１１３の圧縮変形が偏って起こることがなく、美しい印影を形成することができる。
【図面の簡単な説明】
【００３２】
【図１】捺印可能な状態の日付印１の斜視図である。
【図２】印字面２１１の変更が可能な状態の日付印１の斜視図である。
【図３】日付印１の分解斜視図である。
【図４】移動印字部材２１０を保持した保持体２３０の斜視図である。
【図５】図１に示す一点鎖線において矢視方向Ａから見た、日付印１の断面図である。
【図６】図１に示す一点鎖線において矢視方向Ｂから見た、操作部２０５を除いた状態の日付印１の断面図である。
【図７】保持部材１２０の平面図である。
【図８】印字面２１１の変更が行える状態の支持ケース２０１と保持部材１２０の係合状態を示す平面図である。
【図９】捺印可能な状態の支持ケース２０１と保持部材１２０の係合状態を示す平面図である。
【符号の説明】
【００３３】
１      日付印
２      本体ケース
２ｃ      ボス
１００      固定印字部
１１１      印字面
１１２      固定印字部材
１１３      インク貯蔵体
１１４      露出孔
１１５      孔縁部
１１６      リブ
１１７      リブ
１２０      保持部材
１２１      螺旋溝
２００      移動印字部
２０１      支持ケース
２１０      移動印字部材
２１１      印字面
２１２      印字部
【図１】
2006088601.tif 000003
【図２】
2006088601.tif 000004
【図３】
2006088601.tif 000005
【図４】
2006088601.tif 000006
【図５】
2006088601.tif 000007
【図６】
2006088601.tif 000008
【図７】
2006088601.tif 000009
【図８】
2006088601.tif 000010
【図９】
2006088601.tif 000011